(57)【要約】【課題】ポスター、メモ、書類、布等の薄くて平らな形状の物質を、ピンや接着媒体を使用せず面に容易に保持する事が出来、且つポスター、メモ、書類、布等が面に直に接している状態を可能にする固定装置を提供する。【解決手段】面への固定手段となる装置であって、固定部と、固定部を貫通する棒状部材と、上記棒状部材の両端付近に面と棒状部材との距離に等しい厚みを持つ押さえ部を有することを特徴とする固定装置とする。この固定装置を面に固定した際の力に作用して、固定部を貫通する棒状部材に面方向への圧力がかかりしなりを生じる。棒状部材が復元しようとする反発力によって棒状部材の両端付近の押さえ部にも面方向への圧力がかかる為に、押さえ部と面の間に挟んだポスター、メモ、書類、布等を、針や粘着力といった媒体を使用せずに固定することが出来る。さらに、押さえ部と面の間に挟まれたポスター、メモ、書類、布等は、それ自体が面に接した状態で保持されている。【選択図】図３
2005280328.tif 000002
【特許請求の範囲】
【請求項１】
面への固定手段となる装置であって、固定部と、固定部を貫通する棒状部材と、上記棒状部材の両端付近に面と棒状部材との距離に等しい厚みを持つ押さえ部を有する事を特徴とする固定装置。
【請求項２】
前記の押さえ部は一方の厚さを他方より厚くしたことを特徴とする請求項１記載の固定装置。
【請求項３】
前記の押さえ部は固定目標の面に接する部分に滑りにくい素材が用いられていることを特徴とする請求項１記載の固定装置。
【請求項４】
前期の棒状部材は、円柱以外の形の部材を用いたことを特徴とする請求項１記載の固定装置。
【発明の詳細な説明】
【技術分野】
【０００１】  本発明は、ポスター、メモ、書類、布等、薄くて平らな形状の物質を針や粘着力のある媒体を使わずに保持する事ができ、且つ面に対して密着した状態で固定できる固定装置に関するものである。
【背景技術】
【０００２】  従来、面その他の場所にポスター、メモ、書類、布等を保持する為には一般的にピン、画鋲、接着剤、粘着テープ、磁石などを利用している。【０００３】  しかし、上記のものによれば、ピン、画鋲の針によって穴が開いてしまうか、粘着性の媒体の力によって汚れが残ってしまい、保持期間の後に現状復帰を試みても、ポスター、メモ、書類、布等と、固定目標の面ともに完全に元に戻す事が出来なかった。更に保持を行うたびこういったダメージが加わるので、保持実行時に失敗をしてやり直しをすると、必要以上の損害を与えることになってしまった。
【特許文献１】特開平０６−０７９９９５
【特許文献２】特開平０８−３１０１９９
【０００４】  特許文献１に記載の固定装置によれば、固定装置を壁に固定する際に、ピンで面に穴をあけてしまうという問題が発生する。【０００５】  特許文献２に記載の固定装置によれば、固定する物品及び面にピンで穴をあけてしまうという問題が発生する。【０００６】  また、従来、吸盤や磁石を固定装置の手段として用いているものは、物体を保持する方法として一般にフックまたはクリップを用いている。フックにポスター、メモ、書類、布等を固定するためには予めフック用の穴が必要であった。また、フックに吊り下げるまたはクリップで挟むときには、風や揺れなど微量の外力にもポスター、メモ、書類、布等が動いてしまうという問題があった。さらにこの状態は面とポスター、メモ、書類、布等との安定した密着状態を生み出せず、密着していれば得られたはずの化学変化、温度変化、電位変化等の機会を失ってしまうという問題もあった。
【特許文献３】特開平１０−０３５１６６
【特許文献４】特開平１１−３２５０４５
【０００７】  特許文献３に記載の固定装置によれば、固定装置自身は磁石によって面に密着するが、保持する目的のメモ等は面に接しておらず風などの影響で動きやすい。密着していれば得られたはずの化学変化、温度変化、電位変化等の機会を失ってしまうという問題がある。【０００８】  特許文献４に記載の固定装置によれば、固定装置自身は吸盤によって面に密着するが、保持する目的の物品はフックに吊り下げられており、風などの影響で動きやすい。面に密着していれば得られたはずの化学変化、温度変化、電位変化等の機会を失ってしまうという問題がある。
【発明の開示】
【発明が解決しようとする課題】
【０００９】  解決しようとする課題は、ポスター、メモ、書類、布等の薄くて平らな形状の物質を、針や粘着性の媒体を使用せず面に容易に保持する事が出来、且つポスター、メモ、書類、布等が面に直に接している状態を可能にする固定装置を提供することである。
【課題を解決するための手段】
【００１０】  以上の課題を解決するために、請求項１記載の発明は、面への固定手段となる装置であって、固定部と、固定部を貫通する棒状部材と、上記棒状部材の両端付近に面と棒状部材との距離に等しい厚みを持つ押さえ部を有する事を特徴とする固定装置とする。【００１１】  請求項２記載の発明は、前記の押さえ部の一方の厚さが他方より厚いものであることを特徴とする請求項１記載の固定装置とする。【００１２】  請求項３記載の発明は、前記の押さえ部の固定目標の面に接する部分に、滑りにくい素材が用いられていることを特徴とする請求項１記載の固定装置とする。【００１３】  請求項４記載の発明は、前記の棒状部材に円柱以外の形の部材を用いたことを特徴とする請求項１記載の固定装置とする。
【発明の効果】
【００１４】  本願記載の発明によれば、固定装置を面に固定した際の力に作用して、固定部を貫通する棒状部材に面方向への圧力がかかりしなりを生じる。棒状部材が復元しようとする反発力によって棒状部材の両端付近の押さえ部にも面方向への圧力がかかる為に、押さえ部と面の間に挟んだポスター、メモ、書類、布等を、針や粘着力といった媒体を使用せずに固定することが出来る。【００１５】  さらに、上記発明によれば、押さえ部と面の間に挟まれたポスター、メモ、書類、布等が面に接した状態で保持されている。その効果により、保持されたポスター、メモ、書類、布等と面との間に化学変化、温度変化、電位変化等の機会が与えられている。
【発明を実施するための最良の形態】
【実施例１】
【００１６】  図１は本発明の固定装置に吸盤を使用し、吸盤を面に固定したときの力が作用して、上記吸盤のつまみを貫通している棒状部材に面方向への圧力によるしなりが生じ、この棒状部材が復元しようとする反発力によって、棒状部材の両端付近の押さえ部にも面方向へ圧力がかかった状態を表す図である。図２は同じ状態の側面図である。【００１７】  図３は図１に記載の実施例の押さえ部と面の間に書類を挟み、固定したときを示す図である。【００１８】  図４は図１に記載の実施例の吸盤を面から外し、固定を解除した時の側面図である。【００１９】  図５は図１に記載の実施例の押さえ部の一方の厚さを他方より厚くし、後者へかかる圧力を強める構造にしたときの側面図である。【００２０】  図６は図１に記載の実施例の押さえ部の固定目標の面に接する部分に、滑りにくい素材としてゴムを用い、細かな凹凸をつけて更に滑り止めの効果を高めたときの裏面図である。【００２１】  本発明の棒状部材は、円柱以外の形でも対応できる。この部材は機能として求められる適切なしなりと反発力を併せ持っていて、両端付近に押さえ部を設けられるのであれば、円柱、三角柱、柱、板、円錐、三角錐、多角形柱など、多様な形の部材を適用できる。図７は図１に記載の実施例の棒状部材を円柱の代わりに、押さえ部の幅と同じ幅の板状部材を用いたときの図である。【００２２】  図８は図１に記載の実施例の棒状部材とつまみ部の数を増やしたときの図である。【００２３】  本発明の押さえ部は四角以外の形を用いる事も可能である。図９は図１に記載の実施例の押さえ部に円形を用いたときの図である。【００２４】  本発明の固定装置の固定部は、面と接する部分と棒状部材が貫通する部分で構成されているが、その上に他の形状の部材を追加する事も出来る。図１０は図１に記載の実施例の固定装置の固定部の上に、フックを設けたときの図である。【００２５】  図１１は、図１に記載の実施例の固定装置である吸盤を磁石に変更したときの図である。
【産業上の利用可能性】
【００２６】  実施例１に示した吸盤利用の固定装置を用い、商店、レストランなど店舗の窓ガラスに広告等を特殊フィルムや粘着性の媒体を使わずに掲示できる。費用、手間の軽減が実現できる。【００２７】  実施例１で示した吸盤利用の固定装置を複数個用い、押さえ部でタオルなどの布の四隅を窓ガラスにたるみ無く固定することで、ガラス表面温度に変化をもたらし、外気温が室内温度に与える影響を減らす事ができる。冷暖房効率を上げることができ、特に冬期はタオルの吸湿性も相まって結露量軽減といった効果をもたらす。粘着力を使用していないので必要が無くなったら簡単にはがせる利点もある。
【図面の簡単な説明】
【００２８】
【図１】この発明の一実施形態を示す斜視図である。
【図２】この発明の一実施形態を示す側面図である。
【図３】この発明の一実施形態を示す斜視図である。
【図４】この発明の一実施形態を示す側面図である。
【図５】この発明の一実施形態を示す側面図である。
【図６】この発明の一実施形態を示す裏面図である。
【図７】この発明の一実施形態を示す斜視図である。
【図８】この発明の一実施形態を示す斜視図である。
【図９】この発明の一実施形態を示す斜視図である。
【図１０】この発明の一実施形態を示す斜視図である。
【図１１】この発明の一実施形態を示す斜視図である。
【符号の説明】
【００２９】  １  吸盤
２  棒状部材
３  押さえ部
４  書類
５  厚くした押さえ部
６  ゴムなどの滑りにくい素材
７  板状部材
８  フック
９  磁石
【図１】
2005280328.tif 000003
【図２】
2005280328.tif 000004
【図３】
2005280328.tif 000005
【図４】
2005280328.tif 000006
【図５】
2005280328.tif 000007
【図６】
2005280328.tif 000008
【図７】
2005280328.tif 000009
【図８】
2005280328.tif 000010
【図９】
2005280328.tif 000011
【図１０】
2005280328.tif 000012
【図１１】
2005280328.tif 000013